(57)【要約】【課題】表示部に表示される画面を拡大・縮小する機能や画面のアングルを変える機能等を直感性に優れ、操作性も良く、しかも部品点数が増大することなく実現することができる電子機器を提供すること。【解決手段】表示部６は、裏蓋６ａ、フレーム６ｂ、表蓋６ｃ、液晶装置６ｄ、断熱材６ｅ並びに角速度センサ１２及び加速度センサ１３から構成される。裏蓋６ａ、フレーム６ｂ、表蓋６ｃは、表示部６の外形を象っている。角速度センサ１２は、Ｘ方向の移動を検知する角速度センサ１２ａ、Ｙ方向の移動を検知する角速度センサ１２ｂ、Ｚ方向の移動を検知する角速度センサ１２ｃの３個が設けられている。角速度センサ１２ａ及び１２ｂは、裏蓋６ａの内側に貼り付けられる。角速度センサ１２ｃは、フレーム６ｂの外側に貼り付けられる。【選択図】　図５
2004102736.tif 000002
【特許請求の範囲】
【請求項１】
画面を表示する表示部と、
前記表示部に対する平面方向の移動を検出する手段と、
前記表示部に対する垂直方向の移動を検出する手段と、
前記検出された平面方向の移動に応じて前記表示部に表示される画面をスクロールさせる手段と、
前記検出された垂直方向の移動に応じて前記表示部に表示される画面を変動させる手段と
を具備することを特徴とする電子機器。
【請求項２】
請求項１に記載の電子機器において、
前記変動手段は、前記検出された垂直方向の移動に応じて前記表示部に表示される画面を拡大・縮小するものであることを特徴とする電子機器。
【請求項３】
請求項１に記載の電子機器において、
前記変動手段と前記スクロール手段とを用いて前記表示部に表示される画面のアングルを変える手段をさらに具備することを特徴とする電子機器。
【請求項４】
請求項１に記載の電子機器において、
前記検出された垂直方向の移動に応じて前記表示部に表示される画面を拡大・縮小する第１のモードと、前記検出された垂直方向及び平面方向の移動に応じて前記表示部に表示される画面のアングルを変える第２のモードとを切り替えるスイッチを更に具備することを特徴とする電子機器。
【請求項５】
請求項１に記載の電子機器において、
前記表示部に対する垂直方向の移動を検出する手段は、当該垂直方向に対する角速度センサと加速度センサとにより構成されることを特徴とする電子機器。
【発明の詳細な説明】
【０００１】
【発明の属する技術分野】
本発明は、例えば携帯端末や携帯電話等の電子機器に関する。
【０００２】
【従来の技術】
特開２００２−７０２７号公報には、携帯端末や携帯電話等の携帯可能な装置を構成する筐体の移動に応じて表示部に表示される画面をスクロールする技術が開示されている。例えば、このような装置を手に持つユーザがこの装置を右方向に移動させると、画像も同様に右方向にスクロールする、というものである。
【０００３】
【発明が解決しようとする課題】
このような装置において、表示部に表示される画面を拡大・縮小（ズームアウト・ズームイン）する機能や画面のアングルを変える機能があれば、より利便性が高まるものと考えられる。
【０００４】
例えば特別なスイッチを設けることでこのような機能を実現することができるが、それでは直感性に欠け、操作性も悪く、しかも部品点数が増大する、という欠点がある。
【０００５】
本発明は、このような事情に基づきなされたもので、表示部に表示される画面を拡大・縮小する機能や画面のアングルを変える機能等を直感性に優れ、操作性も良く、しかも部品点数が増大することなく実現することができる電子機器を提供することを目的としている。
【０００６】
【課題を解決するための手段】
上記課題を解決するために、本発明の主たる観点に係る電子機器は、画面を表示する表示部と、前記表示部に対する平面方向の移動を検出する検出手段と、前記表示部に対する垂直方向の移動を検出する手段と、前記検出された平面方向の移動に応じて前記表示部に表示される画面をスクロールさせる手段と、前記検出された垂直方向の移動に応じて前記表示部に表示される画面を変動させる手段とを具備することを特徴とする。
【０００７】
ここで、前記変動手段は、検出された垂直方向の移動に応じて前記表示部に表示される画面の垂直方向に関連した変動を行うものであり、より具体的には、前記検出された垂直方向の移動に応じて前記表示部に表示される画面を拡大・縮小するものであるが、それ以外に画面を変動させるものであっても勿論かまわない。特に、本発明の一の形態は、変動手段とスクロール手段とを用いて前記表示部に表示される画面のアングルを変えるようにしている。
【０００８】
本発明では、表示部に対する垂直方向の移動に応じて表示部に表示される画面を変動させているので、表示部に表示される画面を拡大・縮小する機能や画面のアングルを変える機能等を直感性に優れたものとなる。また、特別なスイッチ及びその操作も必要ないので、かかる機能を操作性も良く、しかも部品点数が増大することなく実現することができる。
【０００９】
前記電子機器は、前記検出された垂直方向の移動に応じて前記表示部に表示される画面を拡大・縮小する第１のモードと、前記検出された垂直方向及び平面方向の移動に応じて前記表示部に表示される画面のアングルを変える第２のモードとを切り替えるスイッチを更に具備するように構成しても構わない。これにより、画面の拡大・縮小及びアングルの変更の両方の機能を直感性よく実現することができる。
【００１０】
前記表示部に対する垂直方向の移動を検出する手段は、当該垂直方向に対する角速度センサと加速度センサとにより構成されることが好ましい形態である。これにより、垂直方向を移動の検出を正確に行うことができ、しかも汎用性ある部品により実現することができる。
【００１１】
【発明の実施の形態】
以下、本発明の実施の形態を図面に基づき説明する。
【００１２】
（表示装置）
図１及び図２をもとにして、本発明に係る電子機器の一例である表示装置について説明する。
【００１３】
図１は、本発明の一実施形態に係る表示装置の斜視図である。図２は、この表示装置のハードウェア構成を示すブロック図である。
【００１４】
図１に示すように、表示装置１は、例えばユーザが片手で持てるような大きさの筐体２を有する。
【００１５】
筐体２の前面２ａには、スピーカ４、マイク５、リセットボタン１０が設けられ、更に、ＯＫボタン７ａ、Ｕｎｄｏボタン７ｂ、及びカメラキャプチャーボタン７ｃが設けられた操作部７、例えばスティック状の記憶媒体８が着脱自在に装着される装着部９が設けられている。
【００１６】
筐体２の背面２ｂには、カメラ３が設けられている。カメラ３は例えばＣＣＤカメラにより構成される。
【００１７】
筐体２の側面２ｃには、表示部６が設けられている。表示部６は、例えばカラー液晶表示装置により構成される。筐体２の側面２ｄには、取手部１１が設けられている。
【００１８】
図２に示すように、表示装置１は、メインバス１４にＣＰＵ１５、ＲＯＭ１６、フラッシュ（Ｆｌａｓｈ）メモリ１７、ＲＡＭ１８、記憶媒体用インタフェース１９、センサインタフェース２０の他、各種のインタフェース、例えばＴＴＹ（Ｔｅｌｅ　Ｔｙｐｅｗｒｉｔｅｒ）２１、イーサネット（登録商標）ボード（Ｅｔｈｅｒｎｅｔ（登録商標）　Ｂｏａｒｄ）２２、イメージプロセッシングユニット（Ｉｍａｇｅ　Ｐｒｏｃｅｓｓｉｎｇ　Ｕｎｉｔ）２３、Ｖｉｓｃａインタフェース（Ｖｉｓｃａ　Ｉｎｔｅｒｆａｃｅ）２４、ＶＧＡボード（ＶＧＡ　Ｂｏａｒｄ）２５、オーディオビデオインタフェース（Ａｕｄｉｏ＆ＶｉｄｅｏＩｎｔｅｒｆａｃｅ）２６を接続して構成される。ＣＰＵ１５は、この表示装置１全体を統括的に制御するものである。ＲＯＭ１６は、その動作に必要なプログラムを記憶させるために設けられる。必要なプログラムとは、例えば、後述するモード切替のためのプログラム等である。フラッシュメモリ１７は、必要なデータを記憶させるために設けられる。ＲＡＭ１８は、処理の際の作業スペースとして用いられる。
【００１９】
記憶媒体用インタフェース１９には装着部９が接続される。装着部９に装着された記憶媒体８との間でデータの通信が行われるようになっている。
【００２０】
センサインタフェース２０には、Ａ／Ｄコンバータ２７、ローパスフィルタ２９を介して、角速度センサ１２及び加速度センサ１３が並列に接続されている。
【００２１】
ＴＴＹ（Ｔｅｌｅ　Ｔｙｐｅｗｒｉｔｅｒ）２１は、上記の操作領域の各種のボタンと接続されている。
【００２２】
イーサネットボード（Ｅｔｈｅｒｎｅｔ　Ｂｏａｒｄ）２２は、イーサネットに接続可能とするものである。イーサネットを介して例えばサーバに接続され、このサーバを介してインターネットに接続されるようになっている。
【００２３】
イメージプロセッシングユニット（Ｉｍａｇｅ　Ｐｒｏｃｅｓｓｉｎｇ　Ｕｎｉｔ）２３にはカメラインタフェース（Ｃａｍｅｒａ　Ｉｎｔｅｒｆａｃｅ）２８が接続される。カメラインタフェース２８には上記のＣＣＤカメラ３が接続されている。ＣＣＤカメラ３により接続された画像を表示装置１内に取り込むことが可能であり、これを表示部６に表示することも可能である。
【００２４】
Ｖｉｓｃａインタフェース（Ｖｉｓｃａ　Ｉｎｔｅｒｆａｃｅ）２４には外部のパーソナルコンピュータ等が接続される。このインタフェースを介して表示装置１の各種の制御を行うことが可能とされている。
【００２５】
ＶＧＡボード（ＶＧＡ　Ｂｏａｒｄ）２５には上記の表示部６としての液晶表示装置が接続されている。
【００２６】
オーディオビデオインタフェース（Ａｕｄｉｏ＆Ｖｉｄｅｏ　Ｉｎｔｅｒｆａｃｅ）２６には、オーディオビデオ系の機器が接続されるようになっている。このインタフェース２６を介してオーディオビデオ系の機器からの信号を表示装置１内に取り込んだり、逆にオーディオ信号や画像信号をオーディオビデオ系の機器に出力することができる。
【００２７】
（角速度センサ及び加速度センサ）
次に、図３から図５をもとにして、表示装置１に設けられる角速度センサ及び加速度センサについて説明する。
【００２８】
図３は、角速度センサについて示したものである。図４は、加速度センサについて示したものである。図５は、角速度センサ及び加速度センサの取り付けられる位置を示したものである
角速度センサ１２は、表示装置１の回転方向の角速度を検知し、電圧として出力する素子であり、移動検出方向と平行方向の長さが１ｃｍ、垂直方向の長さがそれぞれ０．５ｃｍ及び０．３ｃｍの直方体の形状である。
【００２９】
人間の腕の動きは、ひじや肩を中心とした球面上での動きに近似することができる。図３（ａ）に示すように、ユーザがこの表示装置１を移動させたとき、例えばひじ２８を支点とした球面に沿ったα方向のような動きになる。
【００３０】
また、角速度センサ１２は一の回転方向の角速度のみを検知するものであるため、図３（ｂ）に示すように、二以上の回転方向、例えばα方向、及びβ方向の２方向にまたがる動きを検知する場合は、角速度センサ１２をそれぞれの回転軸に応じて設ける必要がある。この場合、角速度センサ１２は、表示装置１に加わる角速度のα方向成分、β方向成分を出力する。出力結果は、ローパスフィルタ２９を通されてＣＰＵ１５により数値積分法によって時間積分が行われ、表示装置１のそれぞれの変位成分が算出される。
【００３１】
加速度センサ１３は、ユーザがこの表示装置１を手に持った状態で空間を移動させたとき、２軸方向あるいは３軸方向の加速度を検知して、電圧として出力するする素子である。
【００３２】
図４は、例えば加速度センサを３軸方向の加速度を検出するセンサとして用いた場合について示したものである。表示装置１に加わる加速度の縦方向成分、横方向成分、及び前後方向成分を検知し、それぞれの成分ごとに時間積分演算を行って速度成分、変位成分を算出するようになっている。
【００３３】
また、表示装置１が静止状態となると、表示装置１に加速度が働かず、加速度センサ１３による出力電圧は、加速度が加わっていないときの電圧となる。このように、加速度センサ１３からの出力が、加速度が加わっていないときの電圧になったことを確認することで、表示装置１の静止状態を検知することもできる。
【００３４】
一般に、加速度と速度の関係は、以下の式で表される。
【００３５】
【式１】
2004102736.tif 000003
【００３６】
式１から、加速度を検出する例えば後述する加速度センサ等があれば、一定の時間幅ｔで得られたデータの積分を行うことにより速度を求めることが可能であるとわかる。ある一定時間の表示装置１の移動速度が求まれば、この速度の値を積分することによりさらに移動距離を求めることができ、画面のスクロール量が決定できる。
【００３７】
しかし、加速度から表示装置１の移動距離を求めるには、時間による２重積分を行わなければならないので、応答性が遅れたり、累積誤差が生じやすくなったりする。上述したように、腕の動きを検出するためには、角速度を検出できればよい。そこで、本発明では、移動量を検出する手段として角速度センサ１２を用いている。
【００３８】
角速度により画面のスクロール量を求めると、式２のようになる。
【００３９】
【式２】
2004102736.tif 000004
【００４０】
この結果に応じて画面をスクロールさせたり、拡大縮小又はアングル変更をさせたりする。角速度センサ１２及び加速度センサ１３の算出結果は後述する画像のスクロール等に用いられる。
【００４１】
図５に示すように、表示部６は、裏蓋６ａ、フレーム６ｂ、表蓋６ｃ、液晶装置６ｄ、断熱材６ｅ並びに角速度センサ１２及び加速度センサ１３から構成される。裏蓋６ａ、フレーム６ｂ、表蓋６ｃは、表示部６の外形を象っている。液晶装置６ｄは、表示部６で表示される画像等を表示する。断熱材６ｅは、液晶装置６ｄから発せられる熱を遮断する。
【００４２】
角速度センサ１２は、Ｘ方向の移動を検知する角速度センサ１２ａ、Ｙ方向の移動を検知する角速度センサ１２ｂ、Ｚ方向の移動を検知する角速度センサ１２ｃの３個が設けられている。Ｘ方向及びＹ方向は、表示部６について平面方向を示す。また、Ｚ方向は、表示部６について垂直方向を示す。角速度センサ１２ａ及び１２ｂは、裏蓋６ａの内側に貼り付けられる。角速度センサ１２ｃは、フレーム６ｂの外側に貼り付けられる。角速度センサ１２は、直方体であり、長手方向の長さが１ｃｍである。角速度センサ１２ｃは長手方向が表示部６の厚さ方向と平行となるように設けられるため、表示部６の内側に設けると、表示部６自体が薄型化する際の妨げとなる。このため角速度センサ１２ｃはフレーム６ｂの外側に設けられる。
【００４３】
加速度センサ１３は１個設けられる。１個でＸ軸方向、Ｙ軸方向、Ｚ軸方向の移動及び静止している状態を十分に検出できる。角速度センサ１２は回転による移動を検出するためのものであるから、真の直線方向の移動を検出することができない。そのため加速度センサ１３を補助的に用いて直線方向の移動を検出する場合がある。加速度センサ１３は、角速度センサ１２ａ及び角速度センサ１２ｂと近接して設けることが好ましいが、これらと距離をおいて設けても勿論構わない。角速度センサ１２及び加速度センサ１３はローパスフィルタ２９、Ａ／Ｄコンバータ２７を介して、ＣＰＵ１５と接続される。
【００４４】
（拡大縮小モードとアングル変更モード）
角速度センサ１２及び加速度センサ１３を有する表示装置１は、拡大・縮小及びアングル変更が適切に行われることにより操作性に優れたものとなる。この画像を拡大・縮小させる場合（拡大縮小モード）及び画像のアングル変更させる場合（アングル変更モード）について説明する。
【００４５】
拡大・縮小モードは、表示装置１が表示部６に対して垂直方向に移動されたときに、角速度センサ１２ｃが表示部６に対して垂直方向の移動を検知し、その垂直方向の移動の程度によって表示画像を拡大又は縮小させる機能である。人間の感覚では、例えば遠くの建物を見る場合には広い角度で全体が見渡せるが、細かなところまでは判別できない。また、近くの建物を見る場合には部分的には詳細に判別できるが、建物全体を把握することは困難である。そこで、表示部６にある画像が表示されている場合、この画像全体を広い角度で見たい場合には、表示装置１を例えば建物から遠ざけるように後方に移動させる。すると人間が後方に移動して建物を見るように、表示部６に表示される画像がズームアウトされる。また、この画像の詳細な部分まで見たい場合には、表示装置１を例えば建物に近づけるように前方に移動させる。すると人間が前方に移動して建物を見るように、表示部６に表示される画像がズームインされる。
【００４６】
アングル変更モードは、表示装置１が回転移動された場合に角速度センサ１２で検知された結果に基づいて表示画像のアングルを変更する機能である。人間の感覚では、例えば空を見る場合には視点を上に向けて見る。また、地面を見る場合には視点を下に向けて見る。そこで、表示部６に例えばある部屋の画像が表示されている場合、この部屋の天井を表示させたいときには、空に視点を向けるように表示装置１を上に向ける。すると、人間が視点を上に向けて空を見るように、表示部６に表示される画像のアングルが変わって天井が表示される。また、この部屋の例えば床を表示させたいときには、地面に視点を向けるように表示装置１を下に向ける。すると、人間が視点を下に向けて地面を見るように、表示部６に表示される画像のアングルが変わって床が表示される。
【００４７】
この２つのモードを組み合わせることにより、人間の直感に近い操作が可能となる。
【００４８】
次に、拡大・縮小モードとアングル変更モードとの切り替えについて説明する。
【００４９】
拡大・縮小モード及びアングル変更モードについては、拡大・縮小モードは平行移動のみを検知するのに対して、アングル変更モードは回転移動を検知するという点で異なる。このため拡大・縮小モードとアングル変更モードとを同時に機能させた場合、次の問題が生じる。
【００５０】
１つは、ユーザが表示部６に表示された画像を拡大又は縮小させようとして表示装置１を前後に移動させるときに回転方向の移動が加わると、画像のアングルが変わってしまうことが考えられる。
【００５１】
さらに、表示部６に表示された画像のアングルを変えようとして表示装置１を回転させるときに前後方向の移動が加わると、画像のズームが変わってしまうことも十分にありうる。
【００５２】
このため、拡大・縮小モードとアングル変更モードのどちらが適切かを自動的に判断する、あるいはユーザがこの２つのモードを任意に切り替えることにより、拡大・縮小モード又はアングル変更モードのどちらか一方のみを機能させることができるようにする必要がある。
【００５３】
表示装置１を前後方向に移動させると、表示部６に対する垂直方向を検知する角速度センサ１２ｃの検出量が大きくなるが、平面方向の移動が少ないため角速度センサ１２ａ及び１２ｂの検出量はそれほどではない。すなわち、角速度センサ１２ｃから一定以上の出力が検出されている場合で、角速度センサ１２ａ及び１２ｂの検出量が極端に少ない場合は、そのときの動作に対しては拡大・縮小モードで対処すべきであると判断することができる。
【００５４】
また、表示装置１を回転させると、回転方向に応じて角速度センサ１２ａ、１２ｂ及び１２ｃのうち少なくとも２個から一定の出力が検出されるが、表示装置１自体の変位は変わらないため、加速度センサ１３の出力が検出されない。すなわち、角速度センサ１２ａ、１２ｂ及び１２ｃのうち少なくとも２個から出力が検出されている場合で、加速度センサ１３からの出力が検出されない場合は、そのときの動作に対してはアングル変更モードで対処すべきであると判断することができる。
【００５５】
上記のことから、例えば、拡大・縮小モードのみを機能させるときは、角速度センサ１２ｃのみを作動させ、角速度センサ１２ａ及び１２ｂについては作動を停止することによって実現できる。これらの判断はＣＰＵ１５が行う。
【００５６】
また、拡大・縮小モードとアングル変更モードを変換するための例えばスイッチ１０ｂを設け、ユーザが任意にモードを変換できるようにしても良い。
【００５７】
さらに、角速度センサ１２ｃのみを作動停止させ、拡大・縮小モード及びアングル変更モードを機能させないで、２次元のスクロール機能のみを使用できるようにしても勿論構わない。
【００５８】
（実施例１）
次に、この表示装置１を用いて平面画像であるコンテンツを購入する際の動作について、図６から図１０をもとにして説明する。
【００５９】
図９はその動作を示すフローチャートである。
【００６０】
表示装置１は、電源が投入されると、表示部６に初期画面を表示する（ステップ６０１）。図７はそのような初期画面の一例を示す図である。図７に示す表示部６の画面には、例えば「メニュー」、「レストラン」、「デパート」、「映画館」、「飲食店」、「地図」、「絵」、「文字入力」等があり、この画面上には表示されていないが、他の項目が更にこの下に存在し、表示装置１を下方に移動させることで、画面を下方にスクロールして下にある項目も見ることができる。また、表示装置１を前後に移動させることで、画面を後方にズームアウトさせて項目全体を見ることもできる。さらに、現在画面上で選択可能な項目はハイライト表示（図１０中符号３７）されており、ＯＫボタン７ａを押すとハイライト表示された項目３７が選択されるようになっている。このようなハイライト表示は例えば画面上に固定され、上記のように画面をスクロールさせて項目の方を移動させることでハイライト表示させたい項目３７を選択することができる。
【００６１】
ここで、表示装置１は、当該表示装置１が後方に移動されると（ステップ６０２）、この移動に応じて表示部６の画面を例えば後方にズームアウトさせる（ステップ６０３）。ユーザにより所望の項目例えば「絵」をハイライト表示され、ＯＫボタン７ａが押されると（ステップ６０４）、表示部６に「絵」の選択画面を表示する（ステップ６０５）。
【００６２】
ここでも同様に表示装置１は、当該表示装置１が上下左右及び前後に移動させることができる（ステップ６０６）。この移動に応じて表示部６の画面を例えば上下左右にスクロールさせ、又は前後にズームインさせることができる（ステップ６０７）。ユーザにより４つの画像に分割されたそれぞれ提供可能なコンテンツの画像Ａ１、Ａ２、Ｂ１、Ｂ２から１つの画像が選択されると（ステップ６０８）、図８に示すように、表示装置１は、表示部６に金額提示画面３８を表示する（ステップ６０９）。この画面３８上には、例えばコンテンツの金額を表示する金額表示部３９、購入確認ボタン４０、複数コンテンツ購入ボタン４１がある。複数コンテンツ購入ボタン４１を押すと、もう一度初期画面に戻って更に購入するコンテンツを追加することができる。
【００６３】
なお、上記の選択は、例えば４つ画像Ａ１、Ａ２、Ｂ１、Ｂ２の画像をハイライト表示させるようにしておき、スクロールやズームインにより適宜ハイライト画面を選択し、ＯＫボタン７ａでコンテンツを選択すればよい。
【００６４】
コンテンツの金額の提示に応じてユーザによりコンテンツが選択されると、選択されたコンテンツが例えばサーバからインターネットを介して表示装置１に提供される（ステップ６１０）。
【００６５】
表示装置１は、例えば図９に示すように表示部６にコンテンツ４４を表示する（ステップ６１１）と共に記憶媒体に記憶する（ステップ６１２）。
【００６６】
ユーザは表示装置１を適宜移動させることで、表示部６に表示されたコンテンツ４４の画像４５をスクロールして見ることができる。
【００６７】
図１０は図７に示した初期画面上の項目から「地図」を選択したときに、表示部６に表示される画像の一例を示している。この状態から、表示装置１を移動させて（ステップ６０６）、画面を例えば上下、左右にスクロールさせ、又は前後にズームインさせ（ステップ６０７）、地図上の所定の画像を選択する（ステップ６０８）と、例えばその領域におけるより詳細な地図を、選択したコンテンツとして表示部６に表示し、記憶媒体８に記憶させることができる。
【００６８】
以上のように、上下左右へのスクロール機能と、前後へのズームイン機能とを併用し、直感的に、かつ高い操作性のもとに画像を見ることができる。
【００６９】
（実施例２）
図１１から図１５をもとにして、この表示装置を用いて立体画像についてズーム及びアングル変更を行った場合について説明する。
【００７０】
図１１は、表示装置を移動させる方向を示したものである。図１２は、表示装置の表示部に表示される立体画像を示したものである。図１３は、表示装置をＡの位置まで移動させたときの表示部の画面の変化を示したものである。図１４は、表示装置をＢの位置まで移動させたときの表示部の画面の変化を示したものである。図１５は、立体画像を平面的にとらえた場合の操作について示したものである。
【００７１】
まず、表示装置１の位置を図１１の位置Ｏに固定させる。例えばこの状態から表示装置１を起動させて立体画像３０を表示させる。立体画像３０は、例えば図１２に示すように、カップを乗せたテーブルのバックに窓があるような画像を示している。この状態から、図１２に示されるＡの位置に向けて表示装置１を徐々に移動させると、表示部６に表示される立体画像３０は徐々にズームインされる。表示装置がＡの位置で固定されると、図１３に示すように、立体画像３０は図１２に示された画像と比べて拡大されて表示される。さらに、この状態から表示装置１を元の位置Ｏに向けて徐々に移動させると、表示部６に示される立体画像３０は徐々にズームアウトされる。表示装置１がＯの位置で固定されると、立体画像３０は、図１５に示すように縮小され元に戻った状態で表示される。
【００７２】
また、位置Ｏに固定された状態から、図１１に示されるＢの位置に向けて表示装置１を徐々に移動させると、表示部６に表示される立体画像３０のアングルが徐々に変わっていく。図１３に示すように、表示装置がＢの位置で固定されると、立体画像３０は図１２に示される画像のアングルとは異なったアングルで表示される。さらに、この状態から表示装置１を元の位置Ｏに向けて徐々に移動させると、表示部６に示される立体画像３０のアングルが徐々に変わっていく。表示装置１がＯの位置で固定されると、立体画像３０は、図１２に示すようにアングルが元に戻った状態で表示される。
【００７３】
また、図１５に示すように、立体画像３０の一部を表示させたところで、平面ボタン１０ｃを押して角速度センサ１２ｃを作動停止させることにより、表示されている立体画像３０を表示面において平面的にとらえることも可能である。この場合、拡大・縮小機能やアングル変更機能がないため、２次元平面でのスクロール機能のみを有することとなる。ユーザは、表示装置１を表示部６に対して上下左右に移動させることにより、表示部６に表示される立体画像３０を上下左右にスクロールさせることができる。
【００７４】
このようにして立体画像の拡大・縮小及びアングル変更を行う。
（実施例３）
拡大縮小モードとアングル変更モードを任意に切り替えることによりズーム又はアングル変更を行う場合について、図１６から図１８をもとにして説明する。
【００７５】
図１６は、表示装置の表示部に表示される立体画像を示したものである。図１７は、立体画像を拡大・縮小モードでズームインさせたときの表示画面を示したものである。図１８は、立体画像をアングル変更モードでアングルを変更させたときの表示画面を示したものである。
【００７６】
まず、表示装置１を起動させて立体画像３０を表示させる。立体画像３０は、先の実施例と同様に、例えば図１６に示すように、カップを乗せたテーブルのバックに窓があるような画像を示している。この状態から、モード変換スイッチ１０ｂを押して拡大・縮小モードにして、表示装置１を徐々に前方に平行移動させると、表示部６に表示される立体画像３０は図１７に示すように、立体画像３０は拡大されて表示される。
【００７７】
さらに、この状態からモード変換スイッチ１０ｂを押してアングル変更モードにして、表示装置１を徐々に回転させると、図１８に示すように、立体画像３０は異なったアングルで表示される。
【００７８】
また、先の実施例と同様に、平面ボタン１０ｃを押して角速度センサ１２ｃを作動停止させることにより、表示されている立体画像３０を表示面において平面的にとらえることも可能である。
【００７９】
【発明の効果】
以上説明したように、本発明によれば、表示部に表示される画面を拡大・縮小する機能や画面のアングルを変える機能等を直感性に優れ、操作性も良く、しかも部品点数が増大することなく実現することができる電子機器を提供することができる。
【図面の簡単な説明】
【図１】本発明の一実施形態に係る表示装置の外観を示す斜視図である。
【図２】同実施形態に係る表示装置のハードウェア構成を示すブロック図である。
【図３】同実施形態に係る表示装置に用いられる角速度センサの斜視図である。
【図４】同実施形態に係る表示装置に用いられる加速度センサの斜視図である。
【図５】同実施形態に係る表示装置の一部を分解して示す斜視図である。
【図６】表示装置の動作を示すフローチャートである。
【図７】表示装置に表示される初期画面の一例を示す図である。
【図８】表示装置に表示される金額提示画面の一例を示す図である。
【図９】表示装置に表示されたコンテンツ画像の一例を示す図である。
【図１０】表示装置に表示されたコンテンツ画像の他の例を示す図である。
【図１１】表示装置を示す平面図である。
【図１２】表示装置に表示されたコンテンツ画像の他の例を示す図である。
【図１３】表示装置に表示されたコンテンツ画像の他の例を示す図である。
【図１４】表示装置に表示されたコンテンツ画像の他の例を示す図である。
【図１５】表示装置に表示されたコンテンツ画像の他の例を示す図である。
【図１６】表示装置に表示されたコンテンツ画像の他の例を示す図である。
【図１７】表示装置に表示されたコンテンツ画像の他の例を示す図である。
【図１８】表示装置に表示されたコンテンツ画像の他の例を示す図である。
【符号の説明】
１…表示装置
６…表示部
６ｂ…フレーム
６ｄ…液晶装置
１０ｂ…モード変換スイッチ
１０ｃ…平面ボタン
１２（１２ａ、１２ｂ、１２ｃ）…角速度センサ
１３…加速度センサ
１５…ＣＰＵ
３０…立体画像
【図１】
2004102736.tif 000005
【図２】
2004102736.tif 000006
【図３】
2004102736.tif 000007
【図４】
2004102736.tif 000008
【図５】
2004102736.tif 000009
【図６】
2004102736.tif 000010
【図７】
2004102736.tif 000011
【図８】
2004102736.tif 000012
【図９】
2004102736.tif 000013
【図１０】
2004102736.tif 000014
【図１１】
2004102736.tif 000015
【図１２】
2004102736.tif 000016
【図１３】
2004102736.tif 000017
【図１４】
2004102736.tif 000018
【図１５】
2004102736.tif 000019
【図１６】
2004102736.tif 000020
【図１７】
2004102736.tif 000021
【図１８】
2004102736.tif 000022